(57)【要約】      （修正有）【課題】防水性を向上させることができる防水構造及びこれを備えたスイッチ装置を提供する。【解決手段】防水構造Ｓ１は、第１端子と、ボディと、壁６１０と、第１シールとを備えている。第１端子は第１突出部を有している。ボディは第１突出部が突出するように第１端子を保持している。ボディは、第１突出部よりもＺ方向側に位置する近傍部５１１ａを有している。壁６１０は突起６１１を有している。第１シールは、弾性を有し且つボディと壁６１０とに挟まれている。第１シールは、押圧部７１０ａを有している。押圧部７１０ａは、少なくともボディの近傍部５１１ａと壁６１０の突起６１１との間に位置しており且つ突起６１１に押圧され、ボディの近傍部５１１ａに押し付けられている。【選択図】図２Ａ
2016225176.tif 000002
【特許請求の範囲】
【請求項１】
第１突出部を有する第１端子と、
前記第１端子を保持するボディであって、前記第１突出部が突出する端面及び当該端面の前記第１突出部よりも第１方向の一方側の部分である近傍部を有する前記ボディと、
突起を有する壁と、
弾性を有しており且つ前記ボディと前記壁との間に挟まれた第１シールとを備えており、
前記第１シールは、押圧部を有しており、
前記押圧部は、少なくとも前記ボディの前記近傍部と前記壁の前記突起との間に位置しており且つ前記突起に押圧され、前記ボディの前記近傍部に押し付けられている防水構造。
【請求項２】
請求項１記載の防水構造において、
前記押圧部は、前記ボディの前記近傍部と前記壁の前記突起との間及び前記第１端子の前記第１突出部と前記壁の前記突起との間に位置しており、
前記押圧部は、前記突起に押圧され、前記ボディの前記近傍部及び前記第１端子の前記第１突出部に押し付けられている防水構造。
【請求項３】
請求項１又は２記載の防水構造において、
前記ボディは、前記端面に設けられた凹部を更に有しており、
前記第１端子の前記第１突出部は、前記凹部の底面又は側面から突出しており、
前記近傍部は、前記凹部の前記底面又は前記側面の前記第１突出部よりも前記第１方向の一方側の部分であり、
前記押圧部は前記凹部の前記第１突出部よりも前記第１方向の一方側の部分に充填されている防水構造。
【請求項４】
請求項１〜３の何れかに記載の防水構造において、
前記第１シールは、前記ボディ対向面と、
前記ボディ対向面に設けられており且つ前記ボディに押し付けられた第１突脈を更に有しており、
前記押圧部は、前記第１突脈の一部を有している防水構造。
【請求項５】
請求項１〜４の何れかに記載の防水構造において、
前記壁に設けられた鍔部を更に備えており、
前記第１シールは、鍔部対向面と、
前記鍔部対向面から前記第１方向の一方側に延びており且つ前記鍔部に押し付けられた第２突脈を更に有している防水構造。
【請求項６】
請求項１〜３の何れかに記載の防水構造において、
前記第１端子、前記ボディ及び前記第１シールを収容するケースを更に備えており、
前記ケースは、前記第１方向に延びた筒状の前記壁を有しており、
前記第１シールは、前記押圧部を有する環状部を更に有しており、
前記環状部は、前記壁内に嵌まっており、
前記ボディが前記環状部内に嵌まっている防水構造。
【請求項７】
請求項６記載の防水構造において、
前記第１シールは、環状の第１突脈を更に有しており、
前記環状部は、内面を有しており、
前記第１突脈は、前記環状部の前記内面上に設けられ且つ前記ボディに押し付けられており、
前記押圧部は、前記環状部の前記内面の一部及び前記第１突脈の一部を有している防水構造。
【請求項８】
請求項６〜７の何れかに記載の防水構造において、
前記ケースは、前記環状部の前記第１方向の一方側に位置するように前記壁に設けられており且つ当該ケースの内側に凸の環状の鍔部を更に有しており、
前記第１シールは、前記環状部から前記第１方向の一方側に延びており且つ前記鍔部に押し付けられた環状の第２突脈を更に有している防水構造。
【請求項９】
請求項８に記載の防水構造において、
前記環状部から前記第１方向の一方側に立ち上がり且つ前記ケースの前記鍔部内を通って前記ケース外に突出した立上部と、
前記鍔部の前記第１方向の一方側に位置するように前記立上部に設けられた庇部とを更に備えており、
前記庇部から前記環状部までの前記第１方向の距離が、前記鍔部の前記第１方向の寸法と略同じであり、
前記鍔部が前記庇部と前記環状部との間の間隙に嵌まり、前記第２突脈が前記鍔部に押し付けられている防水構造。
【請求項１０】
請求項６〜９の何れかに記載の防水構造において、
前記第１端子は、前記ボディから前記第１方向の一方側に露出した第１接点部を更に有しており、
前記防水構造は、前記壁内の前記ボディ及び前記第１シールの前記第１方向の他方側の部分に充填された第２シールを更に備えている防水構造。
【請求項１１】
請求項８記載の防水構造と、
前記防水構造の前記環状部から前記第１方向の一方側に延び、前記ケースの前記鍔部内を通って前記ケース外に突出しており且つ初期位置から前記第１方向の他方側に移動可能な操作部と、
前記操作部の前記第１方向の他方側に配置された可動接点とを備えており、
前記防水構造は、前記ボディに保持された第２端子を更に備えており、
前記第１端子は、前記ボディから露出した第１接点部を有しており、
前記第２端子は、前記ボディから露出した第２接点部を有しており、
前記可動接点は、前記第１接点部に接触し且つ前記第２接点部に間隙を有して対向配置、又は前記第１接点部及び前記第２接点部に間隙を有して対向配置されており、
前記操作部が前記初期位置から前記第１方向の他方側に移動することにより、前記可動接点が前記第１接点部及び前記第２接点部に接触するスイッチ装置。
【請求項１２】
請求項１１記載のスイッチ装置において、
前記第１接点部及び前記第２接点部は、前記ボディから前記第１方向の一方側に露出しており、
前記第１端子は、前記ボディから前記第１方向の他方側に露出した第１接続部を有しており、
前記第２端子は、前記ボディから前記第１方向の他方側に露出した第２接続部を有しており、
前記防水構造は、前記ボディ及び前記第１シールの前記第１方向の他方側で前記壁内に充填された成形樹脂である第２シールと、
前記第１接続部に接続され、前記第２シールに部分的にインサート成形されており且つ当該第２シールから部分的に突出した第１外部接続部と、
前記第２接続部に接続され、前記第２シールに部分的にインサート成形されており且つ当該第２シールから部分的に突出した第２外部接続部とを更に備えているスイッチ装置。
【発明の詳細な説明】
【技術分野】
【０００１】
本発明は、防水構造及びこれを備えたスイッチ装置に関する。
【背景技術】
【０００２】
従来のスイッチ装置が下記特許文献１に記載されている。このスイッチ装置は、複数の固定接点と、ドーム状の可動接点と、ベースと、キートップとを備えている。固定接点は、ベースの内底面に固着されている。固定接点は、ベース内に配置される接点本体と、ベース外に突出する接続部とを有している。可動接点は、一方の固定接点の接点本体上に載置され且つ他方の固定接点の接点本体に対向配置されている。キートップが押下されることにより、可動接点が固定接点側に弾性変形し、他方の固定接点の接点本体に接触するようになっている。
【先行技術文献】
【特許文献】
【０００３】
【特許文献１】特開２００６−３５１４６７号公報
【発明の概要】
【発明が解決しようとする課題】
【０００４】
上記の通り、固定接点の接続部がベース外に突出している。このベースと固定接点との間には微細な隙間が生じている。この隙間からスイッチ装置内に水が侵入する恐れがある。
【０００５】
本発明は、上記事情に鑑みて創案されたものであって、その目的とするところは、防水性を向上させることができる防水構造及びこれを備えたスイッチ装置を提供することにある。
【課題を解決するための手段】
【０００６】
上記課題を解決するために、本発明の一態様の防水構造は、第１端子と、ボディと、壁と、第１シールとを備えている。第１端子は、第１突出部を有している。ボディは、第１端子を保持している。ボディは、第１突出部が突出する端面と、この端面の第１突出部よりも第１方向の一方側の部分である近傍部とを有している。壁は突起を有している。第１シールは、弾性を有し且つボディと壁との間に挟まれている。第１シールは、押圧部を有している。押圧部は、少なくともボディの近傍部と壁の突起との間に位置しており且つ突起に押圧され、ボディの近傍部に押し付けられている。このような態様の防水構造は、防水性が向上する。なぜなら、第１シールの押圧部がボディの近傍部に押し付けられているので、第１方向の一方側から第１端子の第１突出部とボディとの間の隙間に水が侵入する可能性を低下させることができるからである。
【０００７】
押圧部は、ボディの近傍部と壁の突起との間及び第１端子の第１突出部と壁の突起との間に位置した構成でとすることが可能である。押圧部は、突起に押圧され、ボディの近傍部及び第１端子の第１突出部に押し付けられた構成とすることが可能である。このような態様の防水構造は、防水性が更に向上する。なぜなら、押圧部が、ボディの近傍部だけでなく、第１端子の第１突出部にも押し付けられているからである。
【０００８】
ボディは、端面に設けられた凹部を更に有する構成とすることが可能である。第１端子の第１突出部が凹部の底面又は側面から突出した構成とすることが可能である。近傍部は、凹部の底面又は側面の第１突出部よりも第１方向の一方側の部分とすることが可能である。第１シールの押圧部は凹部の第１突出部よりも第１方向の一方側の部分に充填された構成とすることが可能である。このような態様の防水構造の防水性が更に向上する。なぜなら、押圧部が壁の突起に押圧され、ボディの凹部の第１端子の第１突出部よりも第１方向の一方側を塞ぐため、第１方向の一方側から第１端子の第１突出部とボディとの間の隙間に水が侵入する可能性を更に低下させることができるからである。
【０００９】
第１シールは、ボディ対向面及び第１突脈を更に有する構成とすることが可能である。第１突脈は、第１シールのボディ対向面に設けられており且つボディに押し付けられた構成とすることが可能である。押圧部は、第１突脈の一部を有する構成とすることが可能である。このような態様の防水構造は、防水性が更に向上する。なぜなら、第１シールがボディと壁とに挟まれており且つ第１突脈がボディに押し付けられているからである。しかも、押圧部の第１突脈の一部が突起によって、ボディの少なくとも近傍部に押し付けられるので、第１方向の一方側から第１端子の第１突出部とボディとの間の隙間に水が侵入する可能性を更に低下させることができる。
【００１０】
上記した何れかの態様の防水構造は、壁に設けられた鍔部を更に備えた構成とすることが可能である。この場合、第１シールは、鍔部対向面と、第２突脈を有する構成とすることが可能である。第２突脈は、鍔部対向面から第１方向の一方側に延びており且つ鍔部に押し付けられた構成とすることが可能である。このような態様の防水構造は、防水性が更に向上する。第１シールがボディと壁とに挟まれており且つ第２突脈が鍔部に押し付けられているからである。
【００１１】
上記した何れかの態様の防水構造は、第１端子、ボディ及び第１シールを収容するケースを更に備えた構成とすることが可能である。ケースは、第１方向に延びた筒状の上記壁を有する構成とすることが可能である。第１シールは、押圧部を有する環状部を更に有する構成とすることが可能である。環状部は、壁内に嵌まった構成とすることが可能である。ボディは、環状部内に嵌まった構成とすることが可能である。このような態様の防水構造による場合、ボディを環状部内に嵌め込んだ後、この環状部を壁内に嵌め込むだけで、端子、ボディ及び環状部を壁内に収容させることができると共に、押圧部をボディの近傍部に押し付けることができる。
【００１２】
第１シールは、環状の第１突脈を更に有した構成とすることが可能である。環状部は内面を有する構成とすることが可能である。第１突脈は、環状部の内面上に設けられた構成とすることが可能である。第１突脈は、ボディに押し付けられた構成とすることが可能である。押圧部は、環状部の内面の一部及び第１突脈の一部を有する構成とすることが可能である。このような態様の防水構造は、防水性が更に向上する。なぜなら、環状部がボディとケースの壁とに挟まれており且つ環状の第１突脈がボディに押し付けられているからである。しかも、押圧部の第１突脈の一部が突起によって、ボディの少なくとも近傍部に押し付けられるので、第１方向の一方側から第１端子の第１突出部とボディとの間の隙間に水が侵入する可能性を更に低下させることができる。
【００１３】
ケースは、鍔部を更に有する構成とすることが可能である。鍔部は、環状部の第１方向の一方側に位置するように壁に設けられており且つ当該ケースの内側に凸の環状である構成とすることが可能である。第１シールは、環状の第２突脈を更に有する構成とすることが可能である。第２突脈は、環状部から第１方向の一方側に延びており且つ鍔部に押し付けられた構成とすることが可能である。このような態様の防水構造は、防水性が更に向上する。環状部がボディとケースの壁とに挟まれており且つ環状の第２突脈がケースの鍔部に押し付けられているからである。
【００１４】
上記した何れかの態様の防水構造は、立上部と、庇部とを更に備えた構成とすることが可能である。立上部は、環状部から第１方向の一方側に立ち上がり且つケースの鍔部内を通ってケース外に突出した構成とすることが可能である。庇部は、鍔部の第１方向の一方側に位置するように立上部に設けられた構成とすることが可能である。庇部から環状部までの第１方向の距離が、鍔部の第１方向の寸法と略同じとすることが可能である。鍔部が庇部と環状部との間の間隙に嵌まり、第２突脈が鍔部に押し付けられた構成とすることが可能である。このような態様の防水構造による場合、ケースの鍔部を庇部と環状部との間の間隙に嵌め込むだけで、第２突脈を鍔部に押し付けることができる。
【００１５】
第１端子は、第１接点部を更に有する構成とすることが可能である。第１接点部は、ボディから第１方向の一方側に露出した構成とすることが可能である。
【００１６】
上記した何れかの態様の防水構造は、第２シールを更に備えた構成とすることが可能である。第２シールは、ケースの壁内のボディ及び第１シールの第１方向の他方側の部分に充填された構成とすることが可能である。このような態様の防水構造は、防水性が更に向上する。ケースの壁内に充填された第２シールによって、第１方向の他方側から壁内に水が侵入するのを抑制することができるからである。
【００１７】
本発明の一態様のスイッチ装置は、上記した何れかの態様の防水構造と、操作部と、可動接点とを備えている。操作部は、防水構造の環状部から第１方向の一方側に延びており且つケースの鍔部内を通ってケース外に突出している。操作部は、初期位置から第１方向の他方側に移動可能である。可動接点は、操作部の第１方向の他方側に配置されている。防水構造は、第２端子を更に備えている。第１端子は、ボディから露出した第１接点部を有している。第２端子は、ボディから露出した第２接点部を有している。可動接点は、第１接点部に接触し且つ第２接点部に間隙を有して対向配置、又は第１接点部及び第２接点部に間隙を有して対向配置されている。操作部が初期位置から第１方向の他方側に移動することにより、可動接点が第１接点部及び第２接点部に接触する構成とすることが可能である。
【００１８】
第１接点部及び第２接点部は、ボディから第１方向の一方側に露出した構成とすることが可能である。第１端子は、ボディから第１方向の他方側に露出した第１接続部を有し、第２端子は、ボディから第１方向の他方側に露出した第２接続部を有する構成とすることが可能である。この場合も、防水構造の第２シールは、壁内のボディ及び第１シールの第１方向の他方側の部分に充填された構成とすることが可能である。防水構造は、第１外部接続部及び第２外部接続部を更に備えた構成とすることが可能である。第１外部接続部は、第１接続部に接続され、第２シールに部分的にインサート成形されており且つ当該第２シールから部分的に突出した構成とすることが可能である。第２外部接続部は、第２接続部に接続され、第２シールに部分的にインサートされており且つ当該第２シールから部分的に突出した構成とすることが可能である。
【図面の簡単な説明】
【００１９】
【図１Ａ】本発明の実施例１に係るスイッチ装置の正面、平面及び左側面から表した斜視図である。
【図１Ｂ】前記スイッチ装置の背面、底面及び右側面から表した斜視図である。
【図２Ａ】前記スイッチ装置の図１Ａ中の２Ａ−２Ａ断面図である。
【図２Ｂ】前記スイッチ装置の図１Ａ中の２Ｂ−２Ｂ断面図である。
【図２Ｃ】前記スイッチ装置の図２Ｂ中の２Ｃ−２Ｃ断面図である。
【図２Ｄ】前記スイッチ装置の図２Ｂ中の２Ｄ−２Ｄ断面図である。
【図３Ａ】前記スイッチ装置のケース、操作部、第１シール、キートップ、可動接点、カバー、ボディ、第１端子、第２端子及び外部接続部の正面、平面及び右側面から表した分解斜視図である。
【図３Ｂ】前記スイッチ装置のケース、操作部、第１シール、キートップ、可動接点、カバー、ボディ、第１端子、第２端子及び外部接続部の背面、底面及び右側面から表した分解斜視図である。
【図４】前記スイッチ装置のケースの図３Ｂ中の４−４断面図である。
【図５Ａ】前記スイッチ装置の操作部及び第１シールの図３Ａ中の５Ａ−５Ａ断面図である。
【図５Ｂ】前記スイッチ装置の操作部及び第１シールの図３Ｂ中の５Ｂ−５Ｂ断面図である。
【図６】前記スイッチ装置の第１端子及び第２端子の正面、平面及び左側面から表した斜視図である。
【発明を実施するための形態】
【００２０】
以下、本発明の実施例１に係るスイッチ装置Ｓについて図１Ａ〜図６を参照しつつ説明する。スイッチ装置Ｓは、防水構造Ｓ１と、操作部１００と、可動接点２００とを備えている。防水構造Ｓ１は、第１端子４００ａと、第２端子４００ｂと、ボディ５００と、ケース６００と、第１シール７００とを備えている。以下、スイッチ装置Ｓについて詳しく説明する。図２Ａ〜図２Ｂ及び図３Ａ〜図３Ｂに示されるＺ−Ｚ’方向は、スイッチ装置Ｓの高さ方向及び特許請求の範囲の第１方向に相当する。Ｚ−Ｚ’方向のうちのＺ方向は、第１方向の一方側に、Ｚ’方向は第１方向の他方側に相当する。図２Ａ及び図２Ｃ〜図３Ｂに示されるＹ−Ｙ’方向は、スイッチ装置Ｓの長手方向に相当する。Ｙ−Ｙ’方向はＺ−Ｚ’方向に直交している。図２Ｂ〜図３Ｂに示されるＸ−Ｘ’方向は、スイッチ装置Ｓの短手方向に相当する。Ｘ−Ｘ’方向はＺ−Ｚ’方向及びＹ−Ｙ’方向に直交している。
【００２１】
ケース６００は、筒状（例えば、円筒状や多角筒状）の壁６１０を有している。壁６１０は、少なくとも一つの内面を有している。この内面には、少なくとも一つの突起６１１が設けられている。実施例１の図（特に、図３Ａ〜図４参照）では、壁６１０は角筒であって、Ｙ方向の内面、Ｙ’方向の内面、Ｘ方向の内面及びＸ’方向の内面を有している。壁６１０のＹ方向の内面、Ｘ方向の内面及びＸ’方向の内面に突起６１１が各々設けられている。Ｙ方向の内面上の突起６１１（以下、Ｙ方向の突起６１１と称する。）のＸ−Ｘ’方向の寸法は、Ｘ方向の内面上の突起６１１（以下、Ｘ方向の突起６１１と称する。）及びＸ’方向の内面上の突起６１１（以下、Ｘ’方向の突起６１１と称する。）のそれぞれのＹ−Ｙ’方向の寸法よりも大きい。
【００２２】
ボディ５００は、メインボディ５１０を有している。メインボディ５１０は、例えば、絶縁樹脂で構成された円板、円環状の板、多角形状の板又は多角環状の板であって、壁６１０内に収容されている。メインボディ５１０のＺ−Ｚ’方向の寸法は、壁６１０のＺ−Ｚ’方向の寸法よりも小さいことが好ましいが、壁６１０のＺ−Ｚ’方向の寸法よりも大きくても構わない。実施例１の図では、前者が採用されている。メインボディ５１０は、少なくとも一つの端面を有している。実施例１の図（特に、図３Ａ及び図３Ｂ参照）では、メインボディ５１０は、絶縁樹脂製の四角形の板であって、Ｙ方向の端面、Ｙ’方向の端面、Ｘ方向の端面及びＸ’方向の端面を有している。メインボディ５１０は、Ｚ方向の面及びＺ’方向の面を更に有している。
【００２３】
壁６１０は、複数の第１係合部６１２を更に有する構成とすることが可能である。第１係合部６１２は壁６１０の少なくとも一つの内面に設けられている。この場合、ボディ５００は、複数の第２係合部５２０を更に有する構成とすることが可能である。第２係合部５２０は、ボディ５００の第１係合部６１２に対応する位置に設けられている。第１係合部６１２及び第２係合部５２０の何れか一方が、係合突部であり、他方が係合凹部である。係合突部が係合凹部に係合されている。実施例１の図（特に、図２Ａ参照）では、第１係合部６１２が壁６１０のＹ方向の内面及びＹ’方向の内面に設けられた係合凹部であり、第２係合部５２０がメインボディ５１０のＺ’方向の面からＹ方向に延びた係合突部及びメインボディ５１０のＺ’方向の面からＹ’方向に延びた係合突部である。Ｙ方向に延びた係合突部がＹ方向の内面の係合凹部に係合され、Ｙ’方向に延びた係合突部がＹ’方向の内面の係合凹部に係合されている。
【００２４】
第１端子４００ａは、金属板で構成されている。第１端子４００ａは、メインボディ５１０内に保持されている。第１端子４００ａは、少なくとも一つの第１突出部４１０ａを有している。第１突出部４１０ａはメインボディ５１０の少なくとも一つの端面の任意の箇所から突出している。メインボディ５１０は、少なくとも一つの近傍部５１１ａを更に有している。近傍部５１１ａは、メインボディ５１０の少なくとも一つの端面の第１突出部４１０ａよりもＺ方向側に位置する部分である。例えば、第１突出部４１０ａがメインボディ５１０のＹ方向の端面、Ｙ’方向の端面、Ｘ方向の端面及びＸ’方向の端面の少なくとも一つの端面から突出している場合、近傍部５１１ａは少なくとも一つの端面の第１突出部４１０ａよりもＺ方向側に位置する部分である。第１突出部４１０ａがメインボディ５１０の少なくとも一つの端面に設けられた凹部５１２の底面又は側面から突出している場合、近傍部５１１ａは凹部５１２の底面又は側面の第１突出部４１０ａよりもＺ方向側に位置する部分である（図２Ａ及び図２Ｂ参照）。
【００２５】
第２端子４００ｂは、金属板で構成されている。第２端子４００ｂは、メインボディ５１０内に保持されている。第２端子４００ｂは、少なくとも一つの第２突出部４１０ｂを有していても良い。第２突出部４１０ｂはメインボディ５１０の少なくとも一つの端面又は別の端面の任意の箇所から突出している。メインボディ５１０は、少なくとも一つの近傍部５１１ｂを更に有している。近傍部５１１ｂは、メインボディ５１０の少なくとも一つの端面又は別の端面の第２突出部４１０ｂよりもＺ方向側に位置する部分である。例えば、第２突出部４１０ｂが、メインボディ５１０のＹ方向の端面、Ｙ’方向の端面、Ｘ方向の端面及びＸ’方向の端面の少なくとも一つの面から突出している場合、近傍部５１１ｂは、少なくとも一つの面の第２突出部４１０ｂよりもＺ方向側に位置する部分である。第２突出部４１０ｂがメインボディ５１０の少なくとも一つの端面又は別の端面に設けられた凹部５１２の底面又は側面から突出している場合、近傍部５１１ｂは、凹部５１２の底面又は側面の第２突出部４１０ｂよりもＺ方向側に位置する部分である（図２Ｂ参照）。
【００２６】
実施例１の図（特に、図２Ｃ及び図２Ｄ参照）では、第１突出部４１０ａ及び第２突出部４１０ｂは二つである。二つの第１突出部４１０ａは、Ｙ方向の第１突出部４１０ａ及びＸ方向の第１突出部４１０ａを含み、二つの第２突出部４１０ｂは、Ｙ方向の第２突出部４１０ｂ及びＸ’方向の第２突出部４１０ｂを含む。Ｙ方向の第１突出部４１０ａ及びＹ方向の第２突出部４１０ｂがメインボディ５１０のＹ方向の面に設けられた凹部５１２の底面から突出している。Ｘ方向の第１突出部４１０ａがメインボディ５１０のＸ方向の面に設けられた凹部５１２の底面から突出している。Ｘ’方向の第２突出部４１０ｂがメインボディ５１０のＸ’方向の面に設けられた凹部５１２の底面から突出している。近傍部５１１ａ、５１１ｂも二つである。二つの近傍部５１１ａはＹ方向の近傍部５１１ａ及びＸ方向の近傍部５１１ａを含み、二つの近傍部５１１ｂはＹ方向の近傍部５１１ｂ及びＸ’方向の近傍部５１１ｂを含む。Ｙ方向の近傍部５１１ａは、メインボディ５１０のＹ方向の面の凹部５１２の底面の第１突出部４１０ａよりもＺ方向側に位置する部分である。Ｙ方向の近傍部５１１ｂは、メインボディ５１０のＹ方向の面の凹部５１２の底面の第２突出部４１０ｂよりもＺ方向側に位置する部分である。Ｘ方向の近傍部５１１ａは、メインボディ５１０のＸ方向の面に設けられた凹部５１２の底面の第１突出部４１０ａよりもＺ方向側に位置する部分である。Ｘ’方向の近傍部５１１ｂは、メインボディ５１０のＸ’方向の面に設けられた凹部５１２の底面の第２突出部４１０ｂよりもＺ方向側に位置する部分である。
【００２７】
第１シール７００は、弾性を有する素材（例えば、シリコンゴムやエチレンプロピレンゴム等）で構成されている。第１シール７００は、筒状（例えば、円筒状や多角筒状）の環状部７１０を有している。環状部７１０の内形は、メインボディ５１０の外形に対応している。環状部７１０内にメインボディ５１０が嵌まっている。環状部７１０の外形は、壁６１０の内形に対応している。環状部７１０が壁６１０内に嵌まっている。すなわち、環状部７１０は、ボディ５００のメインボディ５１０と壁６１０とに挟まれている。環状部７１０は、少なくとも一つの押圧部７１０ａを有している。少なくとも一つの押圧部７１０ａは、環状部７１０の一部である。少なくとも一つの押圧部７１０ａは、ボディ５００の少なくとも一つの近傍部５１１ａと壁６１０の少なくとも一つの突起６１１との間に位置している。この場合、押圧部７１０ａは、突起６１１に押圧され、近傍部５１１ａに押し付けられている。少なくとも一つの押圧部７１０ａは、ボディ５００の少なくとも一つの近傍部５１１ａと壁６１０の少なくとも一つの突起６１１との間及び第１端子４００ａの第１突出部４１０ａと壁６１０の少なくとも一つの突起６１１との間に位置していても良い。この場合、押圧部７１０ａは、突起６１１に押圧され、近傍部５１１ａ及び第１突出部４１０ａに押し付けられている。更に、少なくとも一つの押圧部７１０ａは、近傍部５１１ａ、又は近傍部５１１ａ及び第１突出部４１０ａに押し付けられると共に、凹部５１２の第１突出部４１０ａよりもＺ方向の部分（近傍部５１１ａを含む。）に充填されていても良い。
【００２８】
実施例１の図（特に、図２Ａ〜図３Ｂ及び図５Ａ〜図５Ｂ参照）では、環状部７１０は、略角筒であって、３つの押圧部７１０ａを有している。３つの押圧部７１０ａは、Ｙ方向の押圧部７１０ａ、Ｘ方向の押圧部７１０ａ及びＸ’方向の押圧部７１０ａを含む。Ｙ方向の押圧部７１０ａはボディ５００のＹ方向の近傍部５１１ａ及びＹ方向の近傍部５１１ｂと、壁６１０のＹ方向の突起６１１とに挟まれている。これにより、Ｙ方向の押圧部７１０ａがＹ方向の突起６１１に押圧され、Ｙ方向の押圧部７１０ａがＹ方向の凹部５１２の第１突出部４１０ａ及び第２突出部４１０ｂよりもＺ方向の部分に充填されている。Ｙ方向の凹部５１２の底面の前記Ｚ方向の部分がＹ方向の近傍部５１１ａ及びＹ方向の近傍部５１１ｂを含むため、押圧されたＹ方向の押圧部７１０ａがＹ方向の近傍部５１１ａ及びＹ方向の近傍部５１１ｂに押し付けられている。Ｘ方向の押圧部７１０ａは、ボディ５００のＸ方向の近傍部５１１ａと壁６１０のＸ方向の突起６１１とに挟まれている。これにより、Ｘ方向の押圧部７１０ａがＸ方向の突起６１１に押圧され、Ｘ方向の凹部５１２の第１突出部４１０ａよりもＺ方向の部分に充填されている。Ｘ方向の凹部５１２の底面の前記Ｚ方向の部分がＸ方向の近傍部５１１ａを含むため、押圧されたＸ方向の押圧部７１０ａがＸ方向の近傍部５１１ａに押し付けられている。Ｘ’方向の押圧部７１０ａは、ボディ５００のＸ’方向の近傍部５１１ｂと壁６１０のＸ’方向の突起６１１とに挟まれている。これにより、Ｘ’方向の押圧部７１０ａがＸ’方向の突起６１１に押圧され、Ｘ’方向の凹部５１２の第２突出部４１０ｂよりもＺ方向の部分に充填されている。Ｘ’方向の凹部５１２の底面の前記Ｚ方向の部分がＸ’方向の近傍部５１１ｂを含むため、押圧されたＸ’方向の押圧部７１０ａがＸ’方向の近傍部５１１ｂに押し付けられている。
【００２９】
第１シール７００は、弾性を有する環状の第１突脈７２０を更に有する構成とすることが可能である。環状部７１０は、少なくとも一つの内面（ボディ対向面）を更に有している。第１突脈７２０は、環状部７１０の少なくとも一つの内面から環状部７１０の内側へ延びている。実施例１の図では、環状部７１０は、Ｙ方向の内面（ボディ対向面）、Ｙ’方向の端面（ボディ対向面）、Ｘ方向の内面（ボディ対向面）及びＸ’方向の内面（ボディ対向面）を有している。第１突脈７２０は、環状部７１０のＹ方向の内面、Ｙ’方向の端面、Ｘ方向の内面及びＸ’方向の内面上に設けられ、環状部７１０の内側へ延びている。環状部７１０の厚み寸法（第１突脈７２０を含む）は、壁６１０の内面とメインボディ５１０の端面との間の距離よりも小さい。このため、第１突脈７２０が、メインボディ５１０の少なくとも一つの端面に押し付けられ、圧縮されている。この場合、押圧部７１０ａは、環状部７１０の内面の一部及び第１突脈７２０の一部を有する。押圧部７１０ａが突起６１１に押圧され、環状部７１０の内面の一部及び第１突脈７２０の一部が近傍部５１１ａに押し付けられている。
【００３０】
第１シール７００は、弾性を有する環状の第２突脈７３０を更に有する構成とすることが可能である。環状部７１０は、Ｚ方向の面（鍔部対向面）を更に有している。第２突脈７３０は、環状部７１０のＺ方向の面からＺ方向側へ延びている。この場合、ケース６００は、環状の鍔部６２０を更に有していると良い。鍔部６２０は、壁６１０に設けられている。鍔部６２０は、壁６１０からケース６００の内側に凸となるように延びた環状の板である。鍔部６２０は環状部７１０のＺ方向の面に面接触し、第２突脈７３０が鍔部６２０に押し付けられ、圧縮されている。
【００３１】
環状部７１０は、第１部７１１と、第２部７１２とを有する構成とすることが可能である。第１部７１１は、Ｚ−Ｚ’方向に延びる筒であって、環状部７１０の上記内面と、外面とを有している。第１部７１１の内面は、ボディ５００のメインボディ５１０の少なくとも一つの端面に面接触している。第１部７１１の外面は、壁６１０の少なくとも一つの内面に面接触している。第１部７１１は、ボディ５００のメインボディ５１０の少なくとも一つの端面と壁６１０の少なくとも一つの内面とに挟まれている。第１部７１１は、Ｚ方向の端を更に有している。第２部７１２は、第１部７１１のＺ方向の端から環状部７１０の内側に延びている。第２部７１２は、環状部７１０の上記Ｚ方向の面と、Ｚ’方向の面とを有している。第２部７１２のＺ’方向の面は、メインボディ５１０のＺ方向の面に面接触している。すなわち、第２部７１２は、メインボディ５１０のＺ方向の面と鍔部６２０とに挟まれている。
【００３２】
環状部７１０は、少なくとも一つの第３部７１３を更に有する構成とすることが可能である。第１部７１１は、Ｚ’方向の端を更に有している。第３部７１３は第１部７１１のＺ’方向の端から環状部７１０の内側へ延びている。第３部７１３がメインボディ５１０のＺ’方向の面に当接している。すなわち、メインボディ５１０が環状部７１０の第２部７１２と第３部７１３とに挟まれ、保持されている。実施例１の図では、第３部７１３は一対である。一方の第３部７１３は第１部７１１のＸ方向の部分からＸ’方向に延び、他方の第３部７１３は第１部７１１のＸ’方向の部分からＸ方向に延びている。
【００３３】
操作部１００は、第１シール７００と一体的に構成されていても良いし、別体であっても良い。実施例１の図では、操作部１００は、第１シール７００と一体的に構成されている。すなわち、操作部１００及び第１シール７００は、上記した弾性を有する素材で構成されている。操作部１００は立上部１１０を有している。立上部１１０は、環状部７１０の内縁からＺ方向に延び、ケース６００の鍔部６２０内を通ってケース６００外に突出した筒（例えば、円筒又は多角筒）である。
【００３４】
操作部１００は少なくとも一つの庇部１２０を更に有しても良い。庇部１２０は、鍔部６２０のＺ方向側に位置するように立上部１１０に設けられている。実施例１の図（特に、図２Ｂ参照）では、庇部１２０は一対であり、立上部１１０のＸ−Ｘ’方向の両端に各々設けられている。庇部１２０から第１シール７００の環状部７１０までのＺ−Ｚ’方向の距離は、鍔部６２０のＺ−Ｚ’方向の寸法と略同じであるである。鍔部６２０が、庇部１２０と環状部７１０との間の間隙に嵌まっている。これにより、環状部７１０上の第２突脈７３０が鍔部６２０に押し付けられている。
【００３５】
第１端子４００ａは、第１接点部４２０ａを更に有していても良い。第１接点部４２０ａは、メインボディ５１０のＺ方向の面から露出していても良い。メインボディ５１０のＺ方向の面に収容凹部５１３が設けられている場合、第１接点部４２０ａは、収容凹部５１３の底面から露出していても良い。実施例１の図（特に、図２Ａ及び図６参照）では、第１接点部４２０ａは、二股状に分かれ、当該第１接点部４２０ａの二つの先端部が収容凹部５１３の底面からＺ方向に露出している。
【００３６】
第２端子４００ｂは、第２接点部４２０ｂを更に有していても良い。第２接点部４２０ｂは、メインボディ５１０のＺ方向の面から露出していても良い。メインボディ５１０のＺ方向の面に収容凹部５１３が設けられている場合、第２接点部４２０ｂは、収容凹部５１３の底面から露出していても良い。実施例１の図（特に、図２Ａ参照）では、第２接点部４２０ｂは、収容凹部５１３の底面の中央からＺ方向に露出している。第２接点部４２０ｂは、第１接点部４２０ａの二つの先端部の間に位置している。
【００３７】
可動接点２００は金属板で構成されている。可動接点２００は、第１端子４００ａの第１接点部４２０ａに接触し且つ第２端子４００ｂの第２接点部４２０ｂに対向配置されていても良いし、操作部１００の後述する垂下部１４０に固着され、第１接点部４２０ａ及び第２接点部４２０ｂに間隙を有して対向配置されても良い。実施例１の図では、前者が採用されている。
【００３８】
操作部１００は、天板１３０と、垂下部１４０とを更に有しても良い。天板１３０は、図２Ａ及び図２Ｂに最も良く示されているように、立上部１１０のＺ方向側の開口を閉塞するように立上部１１０に設けられている。垂下部１４０は、図２Ａ及び図２Ｂに最も良く示されているように、天板１３０からＺ’方向に延びた突起であって、可動接点２００のＺ方向側に配置されている。操作部１００がＺ’方向に押圧されることにより、操作部１００が弾性変形し、垂下部１４０が初期位置からＺ’方向に移動可能となっている。実施例１の図では、初期位置は、操作部１００の垂下部１４０が少なくとも可動接点２００に荷重をかけない位置に設定されているが、本発明の初期位置は、操作部１００の垂下部１４０が、可動接点２００を第１接点部４２０ａ及び第２接点部４２０ｂに接触させる位置以外である限り任意に設定可能である。
【００３９】
スイッチ装置Ｓは、キートップ３００を更に備えていても良い。キートップ３００は、可動接点２００と操作部１００の垂下部１４０との間に位置するように、可動接点２００上に配置されている。垂下部１４０が初期位置からＺ’方向側に移動することにより、垂下部１４０がキートップ３００をＺ’方向に押下し、キートップ３００が可動接点２００をＺ’方向に押下する。これにより、可動接点２００が弾性変形し、第１接点部４２０ａ及び第２接点部４２０ｂに接触するようになっている。なお、キートップ３００が省略される場合には、垂下部１４０が初期位置からＺ’方向側に移動することにより、垂下部１４０が可動接点２００をＺ’方向に押下する構成とすると良い。キートップ３００は、ボディ５００の収容凹部５１３の縁に固定されたカバーＣによって、Ｚ方向への抜けが防止されていても良い。カバーＣは、リング状であり、キートップ３００の外縁にＺ方向から当接する構成とすることが可能である。なお、垂下部１４０がキートップ３００に当接する場合、カバーＣは省略可能である。
【００４０】
第１端子４００ａは、第１接続部４３０ａを更に有していても良い。第１接続部４３０ａは、メインボディ５１０内に配置されていても良いし、メインボディ５１０の何れかの面から露出していても良いし、メインボディ５１０の何れかの面に設けられた図示しない収容凹部の底面から露出していても良い。実施例１の図では、第１接続部４３０ａは、メインボディ５１０のＺ’方向の面から露出している。
【００４１】
第２端子４００ｂは、第２接続部４３０ｂを更に有していても良い。第２接続部４３０ｂは、メインボディ５１０内に配置されていても良いし、メインボディ５１０の何れかの面から露出していても良いし、メインボディ５１０の何れかの面に設けられた図示しない収容凹部の底面から露出していても良い。実施例１の図では、第２接続部４３０ｂは、メインボディ５１０のＺ’方向の面から露出している。
【００４２】
防水構造Ｓ１は、第１外部接続部８００ａと、第２外部接続部８００ｂとを更に備えていても良い。第１外部接続部８００ａは、ケーブル、ピン又は端子等であって、第１接続部４３０ａに接続されている。第２外部接続部８００ｂは、ケーブル、ピン又は端子等であって、第２接続部４３０ｂに接続されている。第１外部接続部８００ａ及び第２外部接続部８００ｂは、外部の電子部品などに接続可能である。実施例１の図では、第１外部接続部８００ａ及び第２外部接続部８００ｂはケーブルであって、ケース６００の壁６１０のＺ’方向側の開口から壁６１０外に導出している。
【００４３】
防水構造Ｓ１は、第２シール９００を更に備えていても良い。第２シール９００は、ケース６００の壁６１０内のメインボディ５１０及び第１シール７００のＺ’方向側の部分（空間）に充填されたポッティング材又は樹脂である。この場合、メインボディ５１０のＺ−Ｚ’方向の寸法は、壁６１０のＺ−Ｚ’方向の寸法よりも小さい。第１外部接続部８００ａ及び第２外部接続部８００ｂは、第２シール９００内に部分的にインサートされ、且つ第２シール９００から部分的に突出している。この第１外部接続部８００ａ及び第２外部接続部８００ｂの突出した部分が壁６１０のＺ’方向側の開口から壁６１０外に導出している。
【００４４】
ボディ５００は、一対の保持部５３０を更に有していても良い。保持部５３０は、第１外部接続部８００ａ及び第２外部接続部８００ｂを各々部分的に保持している。ケース６００は、係合部６３０を更に有していても良い。係合部６３０は、ケース６００外に導出した第１外部接続部８００ａ及び第２外部接続部８００ｂを係合可能である。実施例１の図（特に、図１Ａ、図１Ｂ及び図２Ｂ参照）では、第１外部接続部８００ａ及び第２外部接続部８００ｂが係合部６３０に巻き付け可能になっている。
【００４５】
以下、実施例１に係るスイッチ装置Ｓの製造工程について詳しく説明する。まず、第１端子４００ａ及び第２端子４００ｂを用意する。第１端子４００ａの第１突出部４１０ａが図示しない第１連結部に連続しており、第２端子４００ｂの第２突出部４１０ｂが図示しない第２連結部に連続している。第１連結部と第２連結部とは互いに連結されていても良いし、別体であっても良い。この第１端子４００ａ及び第２端子４００ｂを図示しない金型のキャビティー内に入れる。その後、キャビティー内に樹脂を射出し、第１端子４００ａ及び第２端子４００ｂを樹脂内にインサートする。その後、樹脂を硬化させる。硬化させた樹脂がボディ５００となる。このインサート成形時に、次の１）〜３）の通りとなる。１）第１端子４００ａの第１突出部４１０ａがボディ５００の凹部５１２の底面から各々突出し、第２端子４００ｂの第２突出部４１０ｂがボディ５００の凹部５１２の底面から各々突出する。２）第１端子４００ａの第１接点部４２０ａ及び第２端子４００ｂの第２接点部４２０ｂがボディ５００の収容凹部５１３の底面からＺ方向に露出する。３）第１端子４００ａの第１接続部４３０ａ及び第２端子４００ｂの第２接続部４３０ｂがボディ５００のＺ’方向の面から露出する。金型を離型した後、第１連結部を第１突出部４１０ａから切り離し、第２連結部を第２突出部４１０ｂから切り離す。
【００４６】
その後、可動接点２００を用意する。可動接点２００をボディ５００の収容凹部５１３内に収容させ、第１端子４００ａの第１接点部４２０ａに接触させる。これにより、可動接点２００の一部が第２端子４００ｂの第２接点部４２０ｂに間隙を有して対向配置される。その後、キートップ３００を用意する。キートップ３００をボディ５００の収容凹部５１３内に収容させ、可動接点２００に当接させる。その後、カバーＣを用意する。カバーＣをボディ５００の収容凹部５１３の縁に固定し、キートップ３００の外縁に当接させる。
【００４７】
その後、操作部１００及び第１シール７００を用意する。ボディ５００のメインボディ５１０を第１シール７００の環状部７１０内に嵌合させる。この嵌合時に、次の４）〜７）の通りとなる。４）メインボディ５１０のＹ方向の端面が環状部７１０のＹ方向の内面に面接触し、メインボディ５１０のＹ’方向の端面が環状部７１０のＹ’方向の内面に面接触し、メインボディ５１０のＸ方向の端面が環状部７１０のＸ方向の内面に面接触し、且つメインボディ５１０のＸ’方向の端面が環状部７１０のＸ’方向の内面に面接触する。５）第１シール７００の第１突脈７２０がメインボディ５１０のＹ方向の内面、Ｙ’方向の内面、Ｘ方向の内面及びＸ’方向の内面に当接する。６）環状部７１０のＹ方向の押圧部７１０ａがメインボディ５１０のＹ方向の近傍部５１１ａ及びＹ方向の近傍部５１１ｂに対向し、Ｘ方向の押圧部７１０ａがメインボディ５１０のＸ方向の近傍部５１１ａに対向し、Ｘ’方向の押圧部７１０ａがＸ’方向の近傍部５１１ｂに対向する。７）キートップ３００が操作部１００の垂下部１４０のＺ’方向側に間隙を有して配置される。このようにして操作部１００、第１シール７００、ボディ５００、第１端子４００ａ、第２端子４００ｂ、可動接点２００、キートップ３００及びカバーＣがユニット化される（以下、これをユニットと称する。）。
【００４８】
ケース６００を用意する。上記ユニットをケース６００の壁６１０にＺ’方向から挿入する。この挿入時に、８）〜１１）の通りとなる。８）ユニットの操作部１００がケース６００の鍔部６２０内に圧入され、操作部１００の庇部１２０が弾性変形し、鍔部６２０を乗り越える。鍔部６２０が庇部１２０と環状部７１０との間に嵌合し、第２突脈７３０が鍔部６２０のＺ’方向の面に押し付けられ、圧縮される。９）第１シール７００がケース６００の壁６１０とボディ５００とに挟まれ、第１突脈７２０がボディ５００に押し付けられ、圧縮される。１０）壁６１０の突起６１１が第１シール７００の押圧部７１０ａを当該第１シール７００の外側から各々押圧し、押圧部７１０ａをボディ５００の近傍部５１１ａ及び／又は近傍部５１１ｂに押し付ける。１１）ボディ５００の第２係合部５２０が壁６１０の第１係合部６１２に各々係合される。このようにしてユニットがケース６００に取り付けられ、第１端子４００ａ、第２端子４００ｂ及び第１シール７００がケース６００の壁６１０内に収容される。
【００４９】
その後、第１外部接続部８００ａ及び第２外部接続部８００ｂを用意する。第１外部接続部８００ａをボディ５００の保持部５３０に保持させると共に、第１外部接続部８００ａを第１端子４００ａの第１接続部４３０ａに半田接続させる。第２外部接続部８００ｂをボディ５００の別の保持部５３０に保持させると共に、第２外部接続部８００ｂを第２端子４００ｂの第２接続部４３０ｂに半田接続させる。
【００５０】
その後、ポッティング材、熱硬化性樹脂又は光硬化性樹脂を用意する。ポッティング材、熱硬化性樹脂又は光硬化性樹脂をケース６００の壁６１０内のボディ５００及び第１シール７００のＺ’方向側の空間に充填し、硬化させる。硬化したポッティング材、熱硬化性樹脂又は光硬化性樹脂が第２シール９００となる。この第２シール９００の充填時に、第１外部接続部８００ａ及び第２外部接続部８００ｂが第２シール９００内に部分的にインサートされ且つ部分的に第２シール９００から突出する。第２シール９００の充填の前後に、第１外部接続部８００ａ及び第２外部接続部８００ｂを係合部６３０に巻き付ける。
【００５１】
以上のように構成されたスイッチ装置Ｓ及び防水構造Ｓ１は以下の技術的特徴を有している。第１に、スイッチ装置Ｓ及び防水構造Ｓ１の防水性を向上させることができる。その理由は以下の通りである。下記ａ）〜ｄ）の構成により、Ｚ方向から第１端子４００ａとボディ５００との間に水が侵入することを防止することができる。ａ）第１シール７００の環状部７１０がケース６００の筒状の壁６１０とボディ５００とに挟まれている。ｂ）第１シール７００の環状の第１突脈７２０がボディ５００の全ての端面に押し付けられている。ｃ）第１シール７００のＹ方向の押圧部７１０ａが壁６１０のＹ方向の突起６１１に押圧され、当該押圧部７１０ａがＹ方向の凹部５１２の第１突出部４１０ａ及び第２突出部４１０ｂよりもＺ方向の部分（Ｙ方向の近傍部５１１ａ及び近傍部５１１ｂを含む。）に充填されている。ｄ）第１シール７００のＸ方向の押圧部７１０ａが壁６１０のＸ方向の突起６１１に押圧され、当該押圧部７１０ａがＸ方向の凹部５１２の第１突出部４１０ａよりもＺ方向の部分（Ｘ方向の近傍部５１１ａを含む。）に充填されている。ｅ）第１シール７００のＸ’方向の押圧部７１０ａが壁６１０のＸ’方向の突起６１１に押圧され、当該押圧部７１０ａがＸ’方向の凹部５１２の第２突出部４１０ｂよりもＺ方向の部分（Ｘ’方向の近傍部５１１ｂを含む。）に充填されている。しかも、上記ａ）及び下記ｆ）の構成により、Ｚ方向からボディ５００とケース６００との間に水が侵入することを防止することができる。ｆ）第１シール７００の第２突脈７３０がケース６００の鍔部６２０のＺ’方向の面に押し付けられている。更に、下記ｇ）の構成により、Ｚ’方向から壁６１０内に水が侵入することを防止することができる。ｇ）第２シール９００が壁６１０内のボディ５００及び第１シール７００のＺ’方向の空間内に充填されている。
【００５２】
第２に、スイッチ装置Ｓ及び防水構造Ｓ１の組み立てが容易である。第１端子４００ａ及び第２端子４００ｂを保持したボディ５００を第１シール７００の環状部７１０内に嵌め込み、この環状部７１０を壁６１０内に嵌め込むだけで、上記ａ）〜ｆ）の防水の構成が実現されるからである。
【００５３】
第３に、ボディ５００内に第１端子４００ａ及び第２端子４００ｂが埋め込まれているので、基板及びタクトスイッチを備えたスイッチ装置に比べて、スイッチ装置Ｓの部品点数が低減される。
【００５４】
なお、上記したスイッチ装置及び防水構造は、上記実施例に限定されるものではなく、特許請求の範囲の記載範囲において任意に設計変更することが可能である。以下、詳しく述べる。
【００５５】
本発明の防水構造は、上記又は後記する何れかの態様の第１端子、ボディ、壁及び第１シールを備えている限り任意に設計変更することが可能である。本発明の第１端子は、少なくとも第１突出部を有していれば良い。第１端子は、上記した何れかの態様の第１突出部及び第１接点部を有する構成とすることが可能である。上記した何れかの態様の第１端子の第１突出部は、電子機器に接続可能な外部接続部として使用することが可能である。この場合、第１端子の第１接続部は、省略可能である。上記した何れかの態様の第１端子の第１接点部は、可動接点以外の電子部品に電気的に接続されていても良い。例えば、第１接点部は、能動部品、受動部品、機構部品（コネクタ、ソケット、スイッチ等）又はセンサ等の電子部品に電気的に接続されていても良い。このように本発明の防水構造は、上記した何れかの態様のスイッチ装置以外の電子機器に適用可能である。なお、本発明の第２端子は省略可能である。本発明の第２端子は、上記した何れかの態様の第１端子と同様に設計変更することが可能である。本発明の第２端子は、第２突出部を有していなくても良い。
【００５６】
本発明のボディは、上記した何れかの態様の第１端子を保持し、当該第１端子の第１突出部が突出する少なくとも一つの端面及びこの端面の第１突出部よりも第１方向の一方側の部分である近傍部を有する限り任意に設計変更することが可能である。ボディの凹部、収容凹部、第２係合部及び／又は保持部は省略可能である。
【００５７】
本発明の壁は、突起を有しており且つ当該壁と上記した何れかの態様のボディとにより第１シールを挟持し得るものである限り任意に設計変更することが可能である。壁は、フラットであっても良いし、円弧状に湾曲していても良い。本発明の鍔部は、上記した何れかの態様の壁に設けられており、且つ上記又は後記する何れかの態様の第１シールに対向している限り任意に設計変更することが可能である。
【００５８】
本発明の第１シールは、弾性を有し、上記した何れかの態様のボディ及び壁の間に挟まれており、且つ上記した何れかの態様の押圧部を有する限り任意に設計変更することが可能である。第１シールは、上記した何れかの態様のボディ及び壁の間に挟まれるフラット、円弧状、断面視略Ｌ字状又は断面視略Ｃ字状の板とすることが可能である。第１シールは、上記した何れかの態様のボディに対向するボディ対向面と、このボディ対向面に設けられており且つ当該ボディに押し付けられた弾性を有する第１突脈を更に有する構成とすることが可能である。第１シールは、上記した何れかの態様の鍔部に対向する鍔部対向面と、この鍔部対向面に設けられており且つ当該鍔部に押し付けられた弾性を有する第２突脈を更に有する構成とすることが可能である。本発明の第１突脈及び／又は第２突脈は、環状に限定されない。第１突脈及び／又は第２突脈は、上記した何れかの態様の第１シールの長手方向に延びていても良い。上記した何れかの態様の押圧部は、第１突脈の一部を有していても良いし、有していなくても良い。本発明の第１シールの環状部は、第１部のみを有する構成、又は、第１部及び第２部を有する構成とすることが可能である。なお、本発明の第１シールの環状部、第１突脈及び／又は第２突脈は省略可能である。
【００５９】
本発明の第２シールは省略可能である。本発明の第２シールは、上記した何れかの態様のボディ及び第１シールの第１方向の他方側で筒状の壁内に充填されている限り任意に設計変更することが可能である。本発明の第１外部接続部及び／又は第２外部接続部も省略可能である。本発明の第１外部接続部及び／又は第２外部接続部は、第２シールに部分的にインサートされている必要はない。なお、本発明の立上部及び庇部は操作部の一部である必要はない。
【００６０】
なお、上記実施例及び設計変形例におけるスイッチ装置及び防水構造の各構成要素を構成する素材、形状、寸法、数及び配置等はその一例を説明したものであって、上記した何れかの態様と同様の機能を実現し得る限り任意に設計変更することが可能である。上記した実施例及び設計変更例は、互いに矛盾しない限り、相互に組み合わせることが可能である。本発明の第１方向（Ｚ−Ｚ’方向を含む）は、任意に設計変更することが可能である。Ｙ−Ｙ’方向は、第１方向に交差していれば良い。Ｘ−Ｘ’方向は、第１方向及びＹ−Ｙ’方向に交差していれば良い。
【符号の説明】
【００６１】
Ｓ：スイッチ装置
１００：操作部
１１０：立上部
１２０：庇部
１３０：天板
１４０：垂下部
２００：可動接点
３００：キートップ
Ｓ１：防水構造
４００ａ：第１端子
４１０ａ：第１突出部
４２０ａ：第１接点部
４３０ａ：第１接続部
４００ｂ：第２端子
４１０ｂ：第２突出部
４２０ｂ：第２接点部
４３０ｂ：第２接続部
５００：ボディ
５１０：メインボディ
５１１ａ：近傍部
５１１ｂ：近傍部
５１２：凹部
５１３：収容凹部
５２０：第２係合部
５３０：保持部
６００：ケース
６１０：壁
６１１：突起
６１２：第１係合部
６２０：鍔部
６３０：係合部
７００：第１シール
７１０：環状部
７１０ａ：押圧部
７１１：第１部
７１２：第２部
７１３：第３部
７２０：第１突脈
７３０：第２突脈
８００ａ：第１外部接続部
８００ｂ：第２外部接続部
９００：第２シール
Ｃ：カバー
【図１Ａ】
2016225176.tif 000003
【図１Ｂ】
2016225176.tif 000004
【図２Ａ】
2016225176.tif 000005
【図２Ｂ】
2016225176.tif 000006
【図２Ｃ】
2016225176.tif 000007
【図２Ｄ】
2016225176.tif 000008
【図３Ａ】
2016225176.tif 000009
【図３Ｂ】
2016225176.tif 000010
【図４】
2016225176.tif 000011
【図５Ａ】
2016225176.tif 000012
【図５Ｂ】
2016225176.tif 000013
【図６】
2016225176.tif 000014